(57)【特許請求の範囲】
【請求項１】
電子的に投票を受け付ける投票所に設けられる電子投票用投票端末であって、
選挙人が候補者を選択して投票できるよう電子的な投票を受け付ける投票受付手段と、
前記投票受付手段により受け付けられた電子的な投票結果を記憶媒体に電子的にあるいは磁気的に記録する記録手段と、
前記投票結果を印字媒体に印字する印字手段と、
前記印字媒体に印字された前記投票結果を前記選挙人が目視にて確認できるように表示する表示手段と、
前記印字媒体を投票の監査証跡として格納する格納手段とを、
有する電子投票用投票端末。
【請求項２】
前記表示手段が、前記投票端末に設けられた窓と、前記窓の内側に位置する前記印字媒体に前記選挙人が触れることができないように前記窓を塞ぎ、かつ光を透過させる物体とを有することを特徴とする請求項１記載の電子投票用投票端末。
【請求項３】
前記投票結果を前記印字媒体にバーコードとして印字する印字手段をさらに有する請求項１又は２に記載の電子投票用投票端末。
【請求項４】
電子的に投票を受け付ける投票所に設けられ、選挙人が候補者を選択して投票できるよう電子的な投票を受け付ける投票受付手段と、前記投票受付手段により受け付けられた電子的な投票結果を記憶媒体に電子的にあるいは磁気的に記録する記録手段とを有する電子投票用投票端末に電気的に接続可能な投票結果記録装置であって、
前記投票結果を前記投票端末から電子データとして受信する手段と、
受信した前記投票結果を印字媒体に印字する印字手段と、
前記印字媒体に印字された前記投票結果を前記選挙人が目視にて確認できるように表示する表示手段と、
前記印字媒体を投票の監査証跡として格納する格納手段とを、
有する投票結果記録装置。
【請求項５】
前記表示手段が、前記投票端末に設けられた窓と、前記窓の内側に位置する前記印字媒体に前記選挙人が触れることができないように前記窓を塞ぎ、かつ光を透過させる物体とを有することを特徴とする請求項４記載の投票結果記録装置。
【請求項６】
前記投票結果を前記印字媒体にバーコードとして印字する印字手段をさらに有する請求項４又は５に記載の投票結果記録装置。
【発明の詳細な説明】
【０００１】
【発明の属する技術分野】
本発明は、選挙を行うための電子投票に関し、特に電子投票を実施するための電子投票用投票端末及び投票結果記録装置に関する。
【０００２】
【従来の技術】
国や地方自治体の選挙では、従来から選挙人が投票所で投票用紙に候補者（本明細書では、立候補者ともいう）の氏名を記載して投票箱に入れ、開票は人手による目視で行われているが、選挙管理者の負担が大きく、投開票に多くの時間と労力を要していた。かかる問題を解決する方法として最新の電子技術を駆使した電子投票端末などが提案されている。本出願人は、すでに電子投票端末を開発し、特許出願している（特開２０００−４０１１１号公報）。また、種々の電子投票端末がすでに特許されている（特許第２７４７１７１号、特許第２８８５６５７号）。
【０００３】
電子投票では投票に不正や改ざんがあったか否かを投票後に調べるという、投票結果の監査の必要性が指摘されている。かかる監査のための記録を行うという観点から、投票端末で電子的な投票を電子的あるいは磁気的に記録するとともに、投票端末にサーマルプリンタを設け、投票結果を印字記録して保存するものが開発され、ブラジルで知られている。また、投票端末において、電子的あるいは磁気的に記録されたすべての投票結果を候補者毎に集計して、全ての投票終了後に印字するという方式が米国のマイクロボート社（MircoVote）により提案されている。
【０００４】
【発明が解決しようとする課題】
しかしながら、これまでに提案されている電子投票に関する技術では、投票所における投票端末を用いて、例えば投票端末の表示画面に表示された候補者の氏名などを確認して、ボタンやタッチパネルなどを操作して電子的に投票するよう構成されているが、選挙人は自分が投票した投票の内容あるいは投票結果、すなわち、どの選挙でどの候補者に一票を投じたのかを投票後に確認することができなかった。すなわち、上記ブラジルで知られた方式では、プリンタによる印字は選挙人が見ることができないよう投票端末の内部に設けられているし、上記マイクロボート社の方式では、投票結果の集計を得ることはできるが、各選挙人が投票した生の投票結果を追跡することはできず、しかも全ての投票が終了しなければ印字しないので、選挙人は印字内容を見ることはできなかった。
【０００５】
したがって、本発明は電子投票に用いる投票端末で選挙人が投票したとき、その投票結果を印字して生の投票結果を保存するとともに、印字した内容を直接目視して確認できるようにするための電子投票用投票端末及び投票結果記録装置を提供することを目的とする。
【０００６】
【課題を解決するための手段】
上記目的を達成するため、本発明では電子的あるいは磁気的に記録された投票結果に加えて印字媒体に投票結果を印字記録して、これを投票直後に選挙人が目視可能なように表示し、その後印字媒体を格納して選挙の監査のための記録資料（監査証跡）とするようにしている。よって本発明は下記の構成の電子投票用投票端末及び投票結果記録装置を提供するものである。
【０００７】
すなわち、本発明によれば、電子的に投票を受け付ける投票所に設けられる電子投票用投票端末であって、
選挙人が候補者を選択して投票できるよう電子的な投票を受け付ける投票受付手段と、
前記投票受付手段により受け付けられた電子的な投票結果を記憶媒体に電子的にあるいは磁気的に記録する記録手段と、
前記投票結果を印字媒体に印字する印字手段と、
前記印字媒体に印字された前記投票結果を前記選挙人が目視にて確認できるように表示する表示手段と、
前記印字媒体を投票の監査証跡として格納する格納手段とを、
有する電子投票用投票端末が提供される。
【０００８】
また本発明によれば、電子的に投票を受け付ける投票所に設けられ、選挙人が候補者を選択して投票できるよう電子的な投票を受け付ける投票受付手段と、前記投票受付手段により受け付けられた電子的な投票結果を記憶媒体に電子的にあるいは磁気的に記録する記録手段とを有する電子投票用投票端末に電気的に接続可能な投票結果記録装置であって、
前記投票結果を前記電子投票用投票端末から電子データとして受信する手段と、
受信した前記投票結果を印字媒体に印字する印字手段と、
前記印字媒体に印字された前記投票結果を前記選挙人が目視にて確認できるように表示する表示手段と、
前記印字媒体を投票の監査証跡として格納する格納手段とを、
有する投票結果記録装置が提供される。
【００１１】
【発明の実施の形態】
以下、図面を参照して本発明の電子投票用投票端末の好ましい実施の形態について説明する。図１は本発明に係る電子投票用投票端末（単に投票端末ともいう）の好ましい実施の形態の外観を示す斜視図である。本発明の投票端末は、投票所に配置され、選挙人に選挙に立候補した候補者を提示し、選挙人が投票しようとする候補者を選択して投票を電子的に受け付けるものである。なお、投票端末の基本的構造としては、本出願人の先願である特開２０００−４０１１１号公報に示されているものを用いることができる。
【００１２】
図１において、投票端末１にはタッチパネル１０が設けられ、タッチパネル１０の下部の表示装置には選挙名と共に複数の候補者の氏名などが表示され、選挙人は、投票しようとする候補者の部分を指又はタッチペンなどの手段で押して選択することができる。すなわち、タッチパネル１０は投票受付手段として機能する。投票端末１には、投票カード挿入部１１が設けられ、投票所内の投票カード発券機で発行された投票カードを選挙人が投票カード挿入部１１に挿入できるようになっている。
【００１３】
図２は、投票端末１の内部の構成を示すブロック図である。投票カード挿入部１１の内部には、図２に示すカードリーダ３２が配され、投票カードの記録内容を読み取り、正規な投票カードか否かが判断され、正規であると判断されたときのみ、投票を受け付けるよう構成されている。投票カードとしては、磁気記録媒体あるいは、ＩＣなどの記録媒体を有するものを用いることができる。
【００１４】
投票端末１には、記録媒体としてのフラッシュメモリ４２とメモリカード４４があり、投票端末１で投票された投票結果を電子的にフラッシュメモリ４２とメモリカード４４に記録する。２つの記録媒体に投票結果を記録するのは、バックアップするためである。またフラッシュメモリ４２は固定型メモリであり、一方メモリカード４４は可搬型であるので他のメモリと交換することが容易である。なお、この実施の形態では投票結果を電子的に記録媒体に記録しているが、フロッピーディスクやハードディスクなどに磁気的に記録してもよい。
【００１５】
これらの投票結果の記録データは投票の途中であるいは、投票終了後に通信インターフェース４６を介して、図３に示されるように投票運用管理システム１４に送信され、ここで複数台の投票端末１からの投票結果が集計される。集計された１つの投票所の投票データは集計センタ１５に送られ、ここで複数の投票所からの投票データが集計される。図３において、投票運用管理システム１４は、候補者サーバシステム１３から選挙データを得て、各投票端末１に送信する構成となっている。
【００１６】
図２に示されるように投票端末１は上記構成の他、タッチパネル１０の下部に配される表示装置であるＬＣＤ４８を有し、さらに各種メモリであるＲＡＭ３８とＲＯＭ４０を有している。ＲＡＭ３８には投票結果が一時的に記憶される。ＲＡＭ３８に一時記録された投票結果は、後に詳述するようにジャーナルプリンタ３０に送られて印字される。これらの各ブロックで示される回路や素子はＣＰＵ（中央演算処理装置）３６に接続されている。ＣＰＵ３６はＲＯＭ４０あるいはフラッシュメモリ４２にあらかじめ格納されているプログラムに従って動作し必要な制御を行う。なおＣＰＵ３６はデータの入出力を制御するＩ／Ｏ制御機としての機能部分を内部又は外部に有している。
【００１７】
図１の投票端末１には、プリンタ窓１２が設けられている。プリンタ窓１２の内部には図５に示すように所定の印字媒体としてのロール紙２０に印字するためのジャーナルプリンタ３０が取り付けられている。このジャーナルプリンタ３０は、ロール紙２０を供給する供給リール２２と、ロール紙２０を巻き取る巻取リール２４と、ロール紙２０を案内するガイドローラ２６、２８と、ロール紙２０に印字する印字部２９とを有する。
【００１８】
図５において、投票端末１の筐体を構成する外装部１６には前述のプリンタ窓１２が貫通孔として設けられている。このプリンタ窓１２の内部には、透明なブロック材１８が取り付けられている。ブロック材１８としては、例えば板圧が十分厚く、簡単に破壊されることのないアクリルなどの合成樹脂成型品あるいは板材を用いることができる。ブロック材１８は、それを通して選挙人がロール紙２０上の印字内容を読み取ることができるように光透過性である。
【００１９】
本実施の形態では、ロール紙２０上の印字をブロック材１８を介して直接選挙人が目視できるよう構成しているが、プリンタ窓１２から直接ロール紙２０が覗けない構造とし、ロール紙２０上の印字内容をプリズムや鏡などを介してプリンタ窓１２に映し出すようにしてもよい。図６は、ロール紙２０上の印字内容の例を示す図である。図６に示すように、選挙名と、投票した候補者名が印字される。なお、本発明における「選挙」の用語は、本来の選挙のみならず、最高裁判所裁判官の国民審査や、各地方自治体毎の住民投票や、将来、国レベルの国民投票制度ができた場合は、かかる制度をも包含するものである。
【００２０】
図６に示されるように、文字の印字の他に印字された文字により表現される内容をバーコード化して印字媒体としてのロール紙２０上の一部に印字することができる。この印字は印字部２９によることもできるし、バーコード専用の印字部を設けてもよい。バーコードで投票結果を記録しておくと、選挙後に投票結果を監査する場合、バーコードリーダを用いて高速に読み取ることが可能である。また、文字については、光学的文字読み取り装置（ＯＣＲ）で高速に読み取ることができるように、ＯＣＲ用のフォントを用いる構成とすることも可能である。
【００２１】
次に図４に従って投票端末１のＣＰＵ３６の動作について説明する。投票端末１が投票受付の可能な状態とされると、ステップＳ１で投票開始画面を表示し、選挙人に投票カードを投票カード挿入部１１に挿入するよう促す。ステップＳ２で投票カードが挿入されたことが確認されると、ステップＳ３で選挙に立候補している候補者を一覧表示する。次いでステップＳ４で候補者が選択されたことが確認されると、ステップＳ５で選択内容の確認案内を表示する。次いでステップＳ６で選挙人による確認が認識されると、ステップＳ７で投票結果をＲＡＭ３８、フラッシュメモリ４２、メモリカード４４に書き込み、その後ステップＳ８で投票結果をＲＡＭ３８から読み出し、ジャーナルプリンタ３０で印字する。ステップＳ９で他の選挙で未投票のものがあるか判断し、あればステップＳ３に戻る。未投票選挙がなければステップＳ１０に行き、所定時間待ってジャーナルプリンタ３０のロール紙２０の紙送り（巻き取り）を実行して印字部分をプリンタ窓１２の外に移動させて、他の者が投票結果を認識できないようにする。その後、投票が終了したことを表示して投票受付を終了する。
【００２２】
なお、ジャーナルプリンタ３０には巻取リール２４を駆動する駆動手段としての図示省略のモータがあり、１人の選挙人の投票が終了すると上記図４のステップＳ１０で説明したようにロール紙２０を所定距離だけ巻き上げ、次の選挙人や他の者が投票端末１にアクセスするときには、前の選挙人の投票結果が表示されず、白紙状態が表示されている。こうして順次投票が行われると、ロール紙２０には、各選挙人の生の投票結果が印字され、かつ、バーコードとして記録され、順次巻き上げられてロール状態として格納されることとなる。すなわち、巻取リール２４とその駆動手段は格納手段として動作するのである。なお、ロール紙２０の先端及び／又は後端近傍に投票所や投票端末を示す識別番号などを併せて印字などして記録することも可能である。かかる内容を記録しておくことにより、ロール紙を投票端末１から取り出した後の管理が容易となる。
【００２３】
上記実施の形態では、投票端末１の内部にジャーナルプリンタ３０が設けられている場合について説明したが、ジャーナルプリンタ３０は、投票端末１の筐体内に設ける必然性はない。したがって、投票端末１に電気的に接続可能な外部記録装置としてジャーナルプリンタ３０とそのインターフェイスを構成することもできる。この場合、投票端末１のＲＡＭ３８から投票結果が読み出され、外部記録装置で読み出された投票結果のデータを受信してジャーナルプリンタ３０で印字することとなる。かかる外部記録装置として構成する場合も、図５に示すようにプリンタ窓１２とブロック材１８を設けることが好ましい。
【００２４】
【発明の効果】
以上説明したように本発明によれば、電子投票に用いる投票端末で選挙人が投票したとき、その投票結果を印字して生の投票結果を保存するとともに、印字した内容を選挙人に示すようにしているので、選挙監査証跡を得るとともに選挙人が投票内容を目視にて直接確認することができる。
【図面の簡単な説明】
【図１】本発明に係る電子投票用投票端末の外観を示す斜視図である。
【図２】図１の電子投票用投票端末の内部構成を示すブロック図である。
【図３】図１の電子投票用投票端末が利用される電子投票システムの全体図である。
【図４】図１の電子投票用投票端末内部のＣＰＵの動作を示すフローチャートである。
【図５】図１の電子投票用投票端末の内部のジャーナルプリンタ近傍の構成を示す断面図である。
【図６】図５のジャーナルプリンタで印字される記録内容の例を示す図である。
【符号の説明】
１  電子投票用投票端末
１０  タッチパネル（投票受付手段）
１１  投票カード挿入部
１２  プリンタ窓（ブロック材１８と共に表示手段を構成する）
１８  ブロック材
２０  ロール紙（印字媒体）
２２  供給リール
２４  巻取リール（格納手段）
２９  印字部（印字手段）
３０  ジャーナルプリンタ
３２  カードリーダ
３６  ＣＰＵ
３８  ＲＡＭ
４０  ＲＯＭ
４２  フラッシュメモリ（記録手段）
４４  メモリカード（記録手段）
４６  通信インターフェース
４８  ＬＣＤ（表示装置）
【図１】
0003854803.tif 000002
【図２】
0003854803.tif 000003
【図３】
0003854803.tif 000004
【図４】
0003854803.tif 000005
【図５】
0003854803.tif 000006
【図６】
0003854803.tif 000007